【事件の表示】
　特願２０１６−１１２６６３「Ｘ線ＣＴ装置」拒絶査定不服審判事件〔平成２９年１２月１４日出願公開、特開２０１７−２１７１３７、請求項の数（６）〕について、次のとおり審決する。
【結　論】
　原査定を取り消す。
　本願の発明は、特許すべきものとする。
【理　由】
第１　手続の経緯
　本件出願（以下「本願」と記す。）は、平成２８年（２０１６年）６月６日の出願であって、令和２年７月３日付けで拒絶査定（原査定）がなされ、これに対し、同年１０月１４日に拒絶査定に対する審判請求がなされると同時に手続補正書が提出され、当審より令和３年３月３日付けで拒絶理由が通知され、これに対し同年５月７日に意見書及び手続補正書が提出されたものである。
第２　原査定の概要
　原査定（令和２年７月３日付け拒絶査定）の概要は次のとおりである。
　本願の下記の請求項に係る発明は、下記の引用文献１ないし３に記載された発明に基づいて、その発明の属する技術の分野における通常の知識を有する者（以下「当業者」という。）が容易に発明できたものであるから、特許法第２９条第２項の規定により特許を受けることができない。
　　　　　　　　　　　　　　　　　記
・請求項１ないし６
・引用文献１ないし３
引用文献等一覧
１．特開２０１５−２１３７４８号公報
２．特開２００９−２９７２８４号公報
３．特開２００３−２７５１９９号公報
第３　当審拒絶理由（令和３年３月３日付け拒絶理由）の概要
　当審拒絶理由の概要は次のとおりである。
理由１：（明確性）本件出願は、特許請求の範囲の記載が、特許法第３６条第６項第２号に規定する要件を満たしていない。
理由２：（進歩性）本件出願の下記の請求項に係る発明は、下記の引用文献１ないし４に記載された発明に基づいて、その発明の属する技術の分野における通常の知識を有する者（以下「当業者」という。）が容易に発明できたものであるから、特許法第２９条第２項の規定により特許を受けることができない。
　　　　　　　　　　　　　　　　　記
・請求項１ないし６
・引用文献１ないし４
引用文献等一覧
１．特開２０１５−２１３７４８号公報（拒絶査定の引用文献１）
２．特開２０１５−２１３７４９号公報（新たに引用された文献）
３．特開２００９−２９７２８４号公報（拒絶査定の引用文献２：周知技術を示す文献）
４．特開２００３−２７５１９９号公報（拒絶査定の引用文献３：周知技術を示す文献）
第４　本願発明
　本願請求項１ないし６に係る発明（以下それぞれ「本願発明１」ないし「本願発明６」という。）は、令和３年５月７日提出の手続補正書により補正された特許請求の範囲の請求項１ないし６に記載された事項により特定される発明であり、本願発明１ないし６は以下のとおりである。（下線は、請求人が付与したものであり、補正箇所を表している。）
「　【請求項１】
　被検体を透過したＸ線を検出して投影データを収集する収集部と、
　前記投影データから画像データを再構成する画像再構成部と、
　前記画像データにおける前記被検体の複数の部位に係る位置情報を取得する取得部と、
　仮想患者の複数の部位の各位置情報を有する仮想患者体型情報を記憶する記憶部と、
　前記仮想患者の複数の部位のうち、前記画像データに含まれる複数の部位に対応する部位とは異なる部位
であって操作者により指定された部位
　選択された部位が含まれるように、前記画像データの延長領域に相当する推定画像データを生成する生成部と、
　前記推定画像データを用いて、前記画像データの撮影範囲が含まれない撮影範囲の設定を行う設定部と、
　を備え
、
　
前記生成部は、前記被検体の前記複数の部位の各位置情報が示す各位置に、前記仮想患者の複数の部位のうち前記被検体の前記複数の部位に対応する各部位が位置するように、前記仮想患者体型情報を変形させ、変形後の当該仮想患者体型情報のうち、前記異なる部位を含む部分を前記推定画像データとして生成する、
　Ｘ線ＣＴ装置。
　　【請求項２】
　前記設定部は
、前記
　　【請求項３】
　前記画像データと前記推定画像データとを合成した合成画像データを表示部に表示させる表示制御部を更に備える、請求項１又は２に記載のＸ線ＣＴ装置。
　　【請求項４】
　前記収集部は、位置決め画像の投影データ及び診断に用いる画像の投影データを収集し、
　前記画像再構成部は、前記位置決め画像の投影データから複数の前記位置決め画像を再構成するとともに、前記診断に用いる画像の投影データから前記診断に用いる複数の画像を再構成し、
　前記複数の位置決め画像のそれぞれに含まれる前記部位に係る位置情報と、前記診断に用いる複数の画像のそれぞれに含まれる前記部位に係る位置情報とに基づいて、前記診断に用いる他の画像と比較して前記被検体の位置又は向きがずれている診断に用いる画像を特定し、特定した画像について再度撮影を行うように報知する制御部を更に備える、請求項１〜３の何れか１つに記載のＸ線ＣＴ装置。
　　【請求項５】
　前記制御部は、前記特定した画像について再度の撮影により得られた画像と、前記他の画像とを同一のシリーズとして扱う、請求項４に記載のＸ線ＣＴ装置。
　　【請求項６】
　前記画像データは、位置決め画像データ、診断に用いられるデータ、又は、位置決め画像データ及び診断に用いられるデータである、請求項１〜３の何れか１つに記載のＸ線ＣＴ装置。」
第５　引用文献、引用発明等１．引用文献１について
　原査定及び当審の拒絶理由に引用された特開２０１５−２１３７４８号公報（以下「引用文献１」という。）には、次の技術事項が記載されている。（下線は当審が付与した。以下同じ。）
（１）「【技術分野】
【０００１】
　本発明の実施形態は、Ｘ線コンピュータ断層撮影装置（Ｘ線ＣＴ）及びスキャン計画設定支援装置に関する。」
（２）「【０００５】
　本発明が解決しようとする課題は、
スキャン計画におけるスキャン範囲等の設定に関して設定精度、設定操作の利便性を向上することができるＸ線コンピュータ断層撮影装置及びスキャン計画設定支援装置
（３）「【００１５】
　本実施形態のＸ線コンピュータ断層撮影装置は、ガントリ１００を有する。ガントリ１００は、円環状の回転フレーム１０２を有する。回転フレーム１０２は、架台駆動部１０７とともに回転機構を構成する。回転フレーム１０２は、架台駆動部１０７により駆動され回転軸ＲＡを中心に回転する。回転フレーム１０２には、Ｘ線管装置１０１とＸ線検出器１０３とが対向搭載されている。スキャンに際してはＸ線管装置１０１とＸ線検出器１０３との間に寝台装置１１１の天板に載置された被検体が挿入される。天板は寝台装置１１１内に装備された図示しない駆動部によりその長手方向に沿って前後に移動される。
【００１６】
　
Ｘ線管装置１０１は、高電圧発生装置１０９からスリップリング１０８を経由して管電圧の印加及びフィラメント電流の供給を受け、Ｘ線を発生する。Ｘ線検出器１０３は、被検体を透過したＸ線を検出し、入射Ｘ線の線量を反映した電気信号を出力する複数のＸ線検出素子を有する。
【００１７】
　
データ収集回路１０４は、Ｘ線検出器１０３から出力される信号を収集し、ディジタル信号（純生データと呼ばれる）に変換する。データ収集回路１０４には非接触データ伝送装置１０５を経由して前処理装置１０６に接続される。前処理装置１０６は、純生データに対して感度補正、対数変換等の処理をほどこし、投影データを発生する。投影データは記憶装置１１２に記憶される。
（４）「【００２０】
　画像再構成部１１７は、従来の２次元の位置決め用画像の撮影と同程度の低線量Ｘ線によるスキャニングで収集する投影データに基づいて画像データを比較的低ノイズで再構成するために設けられる。画像再構成部１１７による再構成手法は、ノイズ低減に適用性の比較的高い任意の手法が用いられる。例えば、逐次近似法を応用した画像再構成法（逐次近似法応用画像再構成法）が用いられる。ここでは、画像再構成部１１７は、逐次近似法応用画像再構成法によりボリュームデータを再構成するものとして以下記載するが、上記の通り逐次近似法応用画像再構成法に限定されるものではない。
【００２１】
　
画像再構成部１１７は、逐次近似応用再構成法によるアルゴリズムにより、記憶装置１１２に記憶された投影データに基づいて画像データ、ここではボリュームデータを再構成する。ボリュームデータは記憶装置１１２に記憶される。
（５）「【００６５】
　ここで、本実施形態に係るＸ線コンピュータ断層撮影装置は、図１２の（Ｂ）に示すように、位置決め用画像の範囲を超えた領域までスキャン範囲補助枠線が拡大されることで、位置決めスキャンによってスキャンされていない領域に対する本スキャンのスキャン範囲の設定が行われる。具体的には、
スキャン制御部１１０は、第１のスキャン（位置決めスキャン）により取得された投影データに基づいて生成された投影画像の領域を超えた未スキャン領域に第２のスキャン（本スキャン）のスキャン範囲が設定された場合に、被検体における未スキャン領域に対応する領域を、当該未スキャン領域に対応する仮想患者画像から取得し、取得した領域を含めたスキャン範囲のスキャンを実行するように制御する。すなわち、スキャン制御部１１０は、位置決めスキャンによってスキャンされていない領域に関する情報を、予め準備された仮想患者画像から取得して、スキャン範囲を設定する。
（６）「【００６６】
　ここで、予め準備される仮想患者画像について説明する。
仮想患者画像は、年齢、成人／子供、男性／女性、体重、身長などの体格などに関わるパラメータに関する複数の組み合わせにそれぞれ対応する複数のデータであり、記憶装置１１２によって記憶される。仮想患者画像は、対応する上記パラメータの組み合わせに応じた標準的な体格等を有する人体について、実際にＸ線で撮影した画像として予め用意される。
各仮想患者画像に対してこれら多数の解剖学的特徴点が予め検出され、位置データがそれぞれの解剖学的特徴の識別コードとともに仮想患者画像のデータに付帯又は関連付けされて記憶される。
（７）「【００６７】
　
スキャンエキスパートシステム１２０は、被検体情報から年齢、成人／子供、男性／女性、体重、身長などの項目を抽出し、抽出した項目に従って記憶装置１１２に記憶されている複数の仮想患者画像から一の仮想患者画像を選択する。スキャン制御部１１０は、位置決めスキャンによってスキャンされていない領域に関する情報を、スキャンエキスパートシステム１２０によって選択された仮想患者画像から取得してスキャン範囲を設定する。ここで、スキャン範囲が設定される前に、位置決め用画像における解剖学的特徴点と仮想患者画像における解剖学的特徴点が照合されて、画像間の位置合わせが実行される。
【００６８】
　具体的には、まず、
部位抽出処理部１２３が、形態的特徴などに基づくパターン認識等の画像処理によって、位置決め用画像から複数の解剖学的特徴点を抽出する。
（８）「【００７５】
　部位抽出処理部１２３は、被検体ごとに上記した座標変換行列を算出して、スキャン制御部１１０に供給する。
スキャン制御部１２３は、部位抽出処理部１２３から受け付けた座標変換行列を用いることで、仮想患者画像上に設定されたスキャン範囲の座標を、位置決め用画像における座標（ガントリ１００のスキャン空間内の座標）に変換することで、本スキャンのスキャン範囲を設定する。ここで、スキャンエキスパートシステム１２０は、位置決めスキャンにより取得された投影データに基づいて生成された投影画像の領域を超えた未スキャン領域に本スキャンのスキャン範囲が設定された場合に、本スキャンのスキャン範囲のおける未スキャン領域に対応する領域に、当該未スキャン領域に対応する仮想患者画像を表示させる。
　
（９）「【００７７】
　
このように、位置決めスキャンにおいてスキャンされていない領域に対して仮想患者画像を表示させ、表示させた仮想患者画像に対してスキャン範囲が設定されると、スキャン制御部１１０は、仮想患者画像に含まれる解剖学的特徴点の座標に対して座標変換行列をかけることで位置決め用画像における座標（ガントリ１００のスキャン空間内の座標）に変換し、変換した座標を含むように本スキャンのスキャン範囲を設定する。
（１０）「【図１】
」
（１１）「【図１２】
」
　上記引用文献１の記載事項及び図面を総合勘案すると、引用文献１には、次の発明（以下「引用発明１」という。）が記載されていると認められる。
　
「スキャン計画におけるスキャン範囲等の設定に関して設定精度、設定操作の利便性を向上することができるＸ線コンピュータ断層撮影装置及びスキャン計画設定支援装置において、
　Ｘ線管装置１０１は、高電圧発生装置１０９からスリップリング１０８を経由して管電圧の印加及びフィラメント電流の供給を受け、Ｘ線を発生し、Ｘ線検出器１０３は、被検体を透過したＸ線を検出し、入射Ｘ線の線量を反映した電気信号を出力し、データ収集回路１０４は、Ｘ線検出器１０３から出力される信号を収集し、ディジタル信号（純生データと呼ばれる）に変換し、データ収集回路１０４は非接触データ伝送装置１０５を経由して前処理装置１０６に接続され、前処理装置１０６は、純生データに対して感度補正、対数変換等の処理をほどこし、投影データを発生し、投影データは記憶装置１１２に記憶され、画像再構成部１１７は、逐次近似応用再構成法によるアルゴリズムにより、記憶装置１１２に記憶された投影データに基づいて画像データ、ここではボリュームデータを再構成し、ボリュームデータは記憶装置１１２に記憶され、
　仮想患者画像は、年齢、成人／子供、男性／女性、体重、身長などの体格などに関わるパラメータに関する複数の組み合わせにそれぞれ対応する複数のデータであり、記憶装置１１２によって記憶され、仮想患者画像は、対応する上記パラメータの組み合わせに応じた標準的な体格等を有する人体について、実際にＸ線で撮影した画像として予め用意され、各仮想患者画像に対してこれら多数の解剖学的特徴点が予め検出され、位置データがそれぞれの解剖学的特徴の識別コードとともに仮想患者画像のデータに付帯又は関連付けされて記憶され、
　部位抽出処理部１２３が、形態的特徴などに基づくパターン認識等の画像処理によって、位置決め用画像から複数の解剖学的特徴点を抽出し、
　スキャンエキスパートシステム１２０は、被検体情報から年齢、成人／子供、男性／女性、体重、身長などの項目を抽出し、抽出した項目に従って記憶装置１１２に記憶されている複数の仮想患者画像から一の仮想患者画像を選択し、スキャン制御部１１０は、位置決めスキャンによってスキャンされていない領域に関する情報を、スキャンエキスパートシステム１２０によって選択された仮想患者画像から取得してスキャン範囲を設定し、ここで、スキャン範囲が設定される前に、位置決め用画像における解剖学的特徴点と仮想患者画像における解剖学的特徴点が照合されて、画像間の位置合わせが実行され、
　スキャン制御部１１０は、第１のスキャン（位置決めスキャン）により取得された投影データに基づいて生成された投影画像の領域を超えた未スキャン領域に第２のスキャン（本スキャン）のスキャン範囲が設定された場合に、被検体における未スキャン領域に対応する領域を、当該未スキャン領域に対応する仮想患者画像から取得し、取得した領域を含めたスキャン範囲のスキャンを実行するように制御する、すなわち、スキャン制御部１１０は、位置決めスキャンによってスキャンされていない領域に関する情報を、予め準備された仮想患者画像から取得して、スキャン範囲を設定するものであり、
　スキャン制御部１１０は、部位抽出処理部１２３から受け付けた座標変換行列を用いることで、仮想患者画像上に設定されたスキャン範囲の座標を、位置決め用画像における座標（ガントリ１００のスキャン空間内の座標）に変換することで、本スキャンのスキャン範囲を設定し、ここで、スキャンエキスパートシステム１２０は、位置決めスキャンにより取得された投影データに基づいて生成された投影画像の領域を超えた未スキャン領域に本スキャンのスキャン範囲が設定された場合に、本スキャンのスキャン範囲における未スキャン領域に対応する領域に、当該未スキャン領域に対応する仮想患者画像を表示させ、
　このように、位置決めスキャンにおいてスキャンされていない領域に対して仮想患者画像を表示させ、表示させた仮想患者画像に対してスキャン範囲が設定されると、スキャン制御部１１０は、仮想患者画像に含まれる解剖学的特徴点の座標に対して座標変換行列をかけることで位置決め用画像における座標（ガントリ１００のスキャン空間内の座標）に変換し、変換した座標を含むように本スキャンのスキャン範囲を設定する、
　Ｘ線コンピュータ断層撮影装置及びスキャン計画設定支援装置。」
２．引用文献２について
　当審の拒絶理由に引用された特開２０１５−２１３７４９号公報（以下「引用文献２」という。）には、次の技術事項が記載されている。
（１）「【００３６】
　また、例えば、
操作者が入力装置１１５を操作して、対象部位を指定するためのボタンを押下したり、仮想患者画像内の部位が指定（選択）されたりすると、ホストコントローラ１１０は、押下されたボタンの部位に対応する範囲、或いは、指定された部位に対応する範囲の情報をスキャン位置・範囲変換処理部１２４に送出する。
部位が指定されると、ホストコントローラ１１０が、仮想患者画像に含まれる指定部位の座標を抽出して、対応情報をもとに座標情報を生成してスキャン位置・範囲変換処理部１２４に送出する。スキャン位置・範囲変換処理部１２４は、座標変換行列を用いて、受け付けた座標情報を位置決め画像における座標情報に変換することで、例えば、図８に示すように、心臓をスキャンするためのスキャン範囲Ｒ１２を設定する。
（２）「【００４１】
　図９Ａは本実施形態に係るスキャン範囲分割の一例を説明するための図である。例えば、図９Ａに示すように、
スキャン対象部位として、「胸部」と「骨盤」が指定されると、スキャン位置・範囲変換処理部１２４は、仮想患者画像において「胸部」に対応するスキャン範囲Ｒ２の座標情報を、画像データにおけるスキャン範囲Ｒ２１の座標情報に変換する。さらに、スキャン位置・範囲変換処理部１２４は、仮想患者画像において「骨盤」に対応するスキャン範囲Ｒ３の座標情報を、画像データにおけるスキャン範囲Ｒ３１の座標情報に変換する。
　上記記載事項から、引用文献２には次の技術（以下「引用文献２開示技術」という。）が記載されていると認められる。
「部位を選択してスキャン範囲を設定する技術。」
３．引用文献３について
　原査定及び当審の拒絶理由に引用された特開２００９−２９７２８４号公報（以下「引用文献３」という。）には、次の技術事項が記載されている。（１）「【００４３】
　なお、本撮影が行われると、コンソール部１４では、プレ画像保存部３６に保存されている、ステップＳ２０で撮影したプレ画像を読み出して、これを本画像とを比較することが好ましい。そして、比較の結果、
プレ画像と本画像とで位置ずれがあった場合は、位置ずれ量を算出し、表示部３８に表示するなどして、オペレータにその旨を報知する。
被写体の位置がプレ撮影時と異なってしまう場合にも、オペレータにその旨を通知することができ、正しい位置で再度本撮影を行うなどの対応をすることができる。
　上記記載事項から、引用文献３には次の技術（以下「引用文献３開示技術」という。）が記載されていると認められる。
「被検体の位置ずれを報知して再撮影を促す技術。」
４．引用文献４について
　原査定及び当審の拒絶理由に引用された特開２００３−２７５１９９号公報（以下「引用文献４」という。）には、次の技術事項が記載されている。
（１）「【００５１】 (2) ＣＴ検査において、再スキャンのスライス位置を設定する方法
ＣＴ検査において、撮影中に被検者が動いてしまった場合など何らかの原因により
アーチファクトが表れる
場合に、アーチファクトが表れたＣＴ像と同じ位置のみを再度撮影する。
　上記記載事項から、引用文献４には次の技術（以下「引用文献４開示技術」という。）が記載されていると認められる。
「Ｘ線ＣＴ装置において、一連のスライス撮影中に被検者が動いてしまった場合にアーチファクトが表れたＣＴ像と同じ位置のみ再撮影を行い再撮影画像とその前に測定された画像を一連のスライス撮影として扱う技術。」
第６　当審拒絶理由（令和３年３月３日付け拒絶理由）についての判断
１．理由１について
　当審拒絶理由の理由１は、
（理由１−ア）補正前の請求項１に係る発明における「前記仮想患者の複数の部位のうち、前記画像データに含まれる複数の部位に対応する部位とは異なる部位を選択する選択部」という発明特定事項の「仮想患者の」「部位を選択する」とは、どのような行為が含まれるのか、その外延が不明であることにより、補正前の請求項１に係る発明が不明であり、補正前の請求項１及び請求項１を引用する請求項２ないし６が明確でない。
（理由１−イ）補正前の請求項１に係る発明における「選択された部位が含まれるように、前記画像データの延長領域に相当する推定画像データを生成する生成部」という発明特定事項の「推定画像データを生成する」とは、何から推定画像データができるのか、そのもととなるものが不明であり、どのように推定画像データが生成できるのか、不明であることにより、補正前の請求項１に係る発明が不明であり、補正前の請求項１及び請求項１を引用する請求項２ないし６が明確でない。
（理由１−ウ）補正前の請求項１に係る発明における「前記推定画像データを用いて、前記画像データの撮影範囲が含まれない撮影範囲の設定を行う設定部」という発明特定事項の「撮影範囲の設定」とは、どのような設定であるのか、不明であることにより、補正前の請求項１に係る発明が不明であり、補正前の請求項１及び請求項１を引用する請求項２ないし６が明確でない。というものである。
　上記令和３年５月７日提出の手続補正書により、補正後の請求項１において、選択部が「前記仮想患者の複数の部位のうち、前記画像データに含まれる複数の部位に対応する部位とは異なる部位を選択する選択部」から「前記仮想患者の複数の部位のうち、前記画像データに含まれる複数の部位に対応する部位とは異なる部位
であって操作者により指定された部位
前記生成部は、前記被検体の前記複数の部位の各位置情報が示す各位置に、前記仮想患者の複数の部位のうち前記被検体の前記複数の部位に対応する各部位が位置するように、前記仮想患者体型情報を変形させ、変形後の当該仮想患者体型情報のうち、前記異なる部位を含む部分を前記推定画像データとして生成する
　これにより、
（理由１−ア）の「仮想患者の」「部位を選択する」ことが「仮想患者の複数の部位のうち、前記画像データに含まれる複数の部位に対応する部位とは異なる部位であって操作者により指定された部位を選択する」ことであることが明確となり、
（理由１−イ）の「推定画像データを生成する」ことが「前記被検体の前記複数の部位の各位置情報が示す各位置に、前記仮想患者の複数の部位のうち前記被検体の前記複数の部位に対応する各部位が位置するように、前記仮想患者体型情報を変形させ、変形後の当該仮想患者体型情報のうち、前記異なる部位を含む部分を前記推定画像データとして生成する」ことであることが明確となり、
（理由１−ウ）の「撮影範囲の設定」が「前記被検体の前記複数の部位の各位置情報が示す各位置に、前記仮想患者の複数の部位のうち前記被検体の前記複数の部位に対応する各部位が位置するように、前記仮想患者体型情報を変形させ、変形後の当該仮想患者体型情報のうち、前記異なる部位を含む部分を前記推定画像データとして生成」された推定画像データを用いて、前記画像データの撮影範囲が含まれない範囲を設定する撮影範囲の設定であることが明確となった。
　以上のことから、補正後の請求項１に係る発明である本願発明１は明確となり、本願発明１を引用する本願発明２ないし６も明確となった。
　したがって、本願発明１ないし６に対する当審拒絶理由通知の理由１は解消された。
２．理由２について
（１）本願発明１ないし６について
　本願発明１ないし６は、上記「第４」に記載したとおりである。
（２）引用例
　引用文献１ないし４及びその記載事項は、上記「第５」に記載したとおりである。（３）本願発明１について
　ア　対比
　本願発明１を、引用発明１と比較する。
（ア）引用発明１の「Ｘ線コンピュータ断層撮影装置及びスキャン計画設定支援装置」は、本願発明１の「Ｘ線ＣＴ装置」に相当する。
（イ）引用発明１では、「Ｘ線検出器１０３は、被検体を透過したＸ線を検出し、入射Ｘ線の線量を反映した電気信号を出力し、データ収集回路１０４は、Ｘ線検出器１０３から出力される信号を収集し、ディジタル信号（純生データと呼ばれる）に変換し、データ収集回路１０４は非接触データ伝送装置１０５を経由して前処理装置１０６に接続され、前処理装置１０６は、純生データに対して感度補正、対数変換等の処理をほどこし、投影データを発生」することから、引用発明１の「Ｘ線検出器１０３」と「データ収集回路１０４」と「非接触データ伝送装置１０５」と「前処理装置１０６」は、本願発明１における「被検体を透過したＸ線を検出して投影データを収集する収集部」に相当する。
（ウ）引用発明１では「画像再構成部１１７は、逐次近似応用再構成法によるアルゴリズムにより、記憶装置１１２に記憶された投影データに基づいて画像データ」「を再構成」することから、引用発明１の「画像再構成部１１７」は、本願発明１の「投影データから画像データを再構成する画像再構成部」に相当する。
（エ）引用発明１の「位置決め画像」は、「画像データ」から生成される画像であるから、本願発明１の「画像データ」に相当する。
（オ）引用発明１の「形態的特徴などに基づくパターン認識等の画像処理によって、位置決め用画像から複数の解剖学的特徴点を抽出」する「部位抽出処理部１２３」は、本願発明１の「画像データにおける前記被検体の複数の部位に係る位置情報を取得する取得部」に相当する。
（カ）引用発明１では「仮想患者画像は、対応する上記パラメータの組み合わせに応じた標準的な体格等を有する人体について、実際にＸ線で撮影した画像として予め用意され、各仮想患者画像に対してこれら多数の解剖学的特徴点が予め検出され、位置データがそれぞれの解剖学的特徴の識別コードとともに仮想患者画像のデータに付帯又は関連付けされて記憶され」ることから、引用発明１の「仮想患者画像」と「それに関連付けされて記憶され」た「これら多数の解剖学的特徴点」の「位置データ」は、本願発明１の「仮想患者の複数の部位の各位置情報を有する仮想患者体型情報」に相当する。
（キ）引用発明１では「各仮想患者画像に対してこれら多数の解剖学的特徴点が予め検出され、位置データがそれぞれの解剖学的特徴の識別コードとともに仮想患者画像のデータに付帯又は関連付けされて」「記憶装置１１２によって記憶され」ることから、引用発明１の「記憶装置１１２」は本願発明１の「仮想患者の複数の部位の各位置情報を有する仮想患者体型情報を記憶する記憶部」に相当する。
（ク）引用発明１の「標準的な体格等を有する人体について、実際にＸ線で撮影した画像」である「仮想患者画像」は、被検体から得られた画像ではないから本願発明１における「推定画像データ」に相当する。
（ケ）引用発明１の「位置決めスキャンにより取得された投影データに基づいて生成された投影画像の領域を超えた未スキャン領域に本スキャンのスキャン範囲が設定された場合に、本スキャンのスキャン範囲における未スキャン領域に対応する領域に、当該未スキャン領域に対応する仮想患者画像を表示させ」る「スキャンエキスパートシステム１２０」は、本願発明１における「画像データの延長領域に相当する推定画像データを生成する生成部」に相当する。
（コ）引用発明１では「位置決めスキャンにおいてスキャンされていない領域に対して仮想患者画像を表示させ、表示させた仮想患者画像に対してスキャン範囲が設定されると、スキャン制御部１１０は、仮想患者画像に含まれる解剖学的特徴点の座標に対して座標変換行列をかけることで位置決め用画像における座標（ガントリ１００のスキャン空間内の座標）に変換し、変換した座標を含むように本スキャンのスキャン範囲を設定する」ことから、引用発明１の「スキャン制御部１１０」は本願発明１の「推定画像データを用いて、」「画像データの撮影範囲が含まれない撮影範囲の設定を行う設定部」に相当する。
　すると、本願発明１と、引用発明１とは、次の点で一致する。
＜一致点＞
「被検体を透過したＸ線を検出して投影データを収集する収集部と、
　前記投影データから画像データを再構成する画像再構成部と、
　前記画像データにおける前記被検体の複数の部位に係る位置情報を取得する取得部と、
　仮想患者の複数の部位の各位置情報を有する仮想患者体型情報を記憶する記憶部と、
　前記画像データの延長領域に相当する推定画像データを生成する生成部と、
　前記推定画像データを用いて、前記画像データの撮影範囲が含まれない撮影範囲の設定を行う設定部と、
　を備える、Ｘ線ＣＴ装置。」
　
　一方で、両者は、次の点で相違する。
＜相違点＞
　画像データの延長領域に相当する推定画像データを生成する生成部において、本願発明１では、「前記仮想患者の複数の部位のうち、前記画像データに含まれる複数の部位に対応する部位とは異なる部位であって操作者により指定された部位を選択する選択部」を備え「前記被検体の前記複数の部位の各位置情報が示す各位置に、前記仮想患者の複数の部位のうち前記被検体の前記複数の部位に対応する各部位が位置するように、前記仮想患者体型情報を変形させ、変形後の当該仮想患者体型情報のうち、前記異なる部位を含む部分を前記推定画像データとして生成する」のに対し、引用発明１では、「第１のスキャン（位置決めスキャン）により取得された投影データに基づいて生成された投影画像の領域を超えた未スキャン領域に第２のスキャン（本スキャン）のスキャン範囲が設定された場合に、被検体における未スキャン領域に対応する領域を、当該未スキャン領域に対応する仮想患者画像から取得し」て「当該未スキャン領域に対応する仮想患者画像を表示させ」る点。
　イ　判断
　上記相違点について判断する。
　引用発明１では、「第１のスキャン（位置決めスキャン）により取得された投影データに基づいて生成された投影画像の領域を超えた未スキャン領域に第２のスキャン（本スキャン）のスキャン範囲が設定された場合に、被検体における未スキャン領域に対応する領域を、当該未スキャン領域に対応する仮想患者画像から取得し」て「当該未スキャン領域に対応する仮想患者画像を表示させ」「表示させた仮想患者画像に対してスキャン範囲が設定されると、スキャン制御部１１０は、仮想患者画像に含まれる解剖学的特徴点の座標に対して座標変換行列をかけることで位置決め用画像における座標（ガントリ１００のスキャン空間内の座標）に変換し、変換した座標を含むように本スキャンのスキャン範囲を設定する」ことを行っている。
　ここで、引用発明１では、「第１のスキャン（位置決めスキャン）により取得された投影データに基づいて生成された投影画像の領域を超えた未スキャン領域に第２のスキャン（本スキャン）のスキャン範囲が設定され」るものであり、未スキャン領域に含まれ、第２のスキャン（本スキャン）のスキャン範囲に設定された領域には、何かしらの被検体の部位が含まれることは、当業者にとって自明である。
　そして、引用発明１では、「被検体における未スキャン領域に対応する領域を、当該未スキャン領域に対応する仮想患者画像から取得し」て「当該未スキャン領域に対応する仮想患者画像を表示させ」ていることから、設定される「第２のスキャン（本スキャン）のスキャン範囲」であって「第１のスキャン（位置決めスキャン）により取得された投影データに基づいて生成された投影画像の領域を超えた未スキャン領域」には、「第１のスキャン（位置決めスキャン）により取得された投影データに基づいて生成された投影画像」に含まれる被検体の部位とは異なる部位が存在し、その部位を含むように「当該未スキャン領域に対応する仮想患者画像から取得し」て「当該未スキャン領域に対応する仮想患者画像を表示させ」ている。
　ここで、引用発明１における、第２のスキャン（本スキャン）のスキャン範囲の設定は、その範囲に含まれる被検体の部位をスキャンするために範囲で設定しているものであり、スキャンしたい部位を範囲で指定するか、部位を選択して指定するかは、当業者が適宜選択しうる事項であり、部位を選択してスキャン範囲を設定する技術は、引用文献２開示技術として本願出願前に公知であることから、引用発明１における第２のスキャン（本スキャン）のスキャン範囲の設定を範囲設定ではなく部位設定に変更することは、当業者ならば容易になしえたことである。
　しかしながら、上記相違点に係る本願発明１の「前記被検体の前記複数の部位の各位置情報が示す各位置に、前記仮想患者の複数の部位のうち前記被検体の前記複数の部位に対応する各部位が位置するように、前記仮想患者体型情報を変形させ、変形後の当該仮想患者体型情報のうち、前記異なる部位を含む部分を前記推定画像データとして生成する」という構成は、引用文献２ないし４開示技術とも異なるものであり、上記引用文献１−４には記載されておらず、本願出願前において周知技術であるともいえない。
　そして、本願発明１は上記構成を備えることにより、位置決め画像の範囲外に存在する部位を含む撮影範囲の設定を操作者に容易に行わせることができるという格別の効果を奏するものである。
　したがって、本願発明１は、当業者であっても引用発明１及び引用文献２ないし４開示技術に基づいて容易に発明できたものであるとはいえない。
（４）本願発明２ないし６について
　本願発明２ないし６も、本願発明１の「前記被検体の前記複数の部位の各位置情報が示す各位置に、前記仮想患者の複数の部位のうち前記被検体の前記複数の部位に対応する各部位が位置するように、前記仮想患者体型情報を変形させ、変形後の当該仮想患者体型情報のうち、前記異なる部位を含む部分を前記推定画像データとして生成する」と同一の構成を備えるものであるから、上記「（３）」で検討したとおり、当業者であっても、引用発明１及び引用文献２ないし４開示技術に基づいて容易に発明できたものであるとはいえない。
（５）小括
　以上のことから、補正後の請求項１に係る発明である本願発明１は、引用文献１ないし４に記載された発明及び技術から当業者が容易に発明できたものであるとはいえず、本願発明１を引用する本願発明２ないし６も同様に引用文献１ないし４に記載された発明及び技術から当業者が容易に発明できたものであるとはいえない。　したがって、本願発明１ないし６に対する当審拒絶理由通知の理由２は解消された。
第７　原査定についての判断
　令和３年５月７日提出の手続補正書による手続補正により、補正後の請求項１ないし６は、「前記被検体の前記複数の部位の各位置情報が示す各位置に、前記仮想患者の複数の部位のうち前記被検体の前記複数の部位に対応する各部位が位置するように、前記仮想患者体型情報を変形させ、変形後の当該仮想患者体型情報のうち、前記異なる部位を含む部分を前記推定画像データとして生成する」という技術的事項を有するものとなった。当該技術的事項は、原査定における引用文献である引用文献１、３及び４には記載されておらず、本願出願前における周知技術でもないので、本願発明１ないし６は、当業者であっても、原査定における引用文献である引用文献１、３及び４に基づいて容易に発明できたものではない。したがって、原査定を維持することはできない。
第８　むすび
　以上のとおり、原査定の理由及び当審の拒絶理由によって、本願を拒絶することはできない。
　他に本願を拒絶すべき理由を発見しない。
　よって、結論のとおり審決する。